(57)【要約】【課題】植毛するだけで任意のヘアースタイルを容易に形成できるドールヘアー用繊維束構造を提供する。【解決手段】人形用頭部又は人形用ウィッグに植毛する人形毛髪用繊維１を人形に合わせた長さに切断する。該人形毛髪用繊維１を複数本束ねて繊維束１０を構成する。人形毛髪用繊維１の長さを二分する位置で緊締具２にて束ねる。該緊締具２から一方又は両方の人形毛髪用繊維１を編み込んで、編み目部１１を形成する。編み目部１１を三編み状に構成する。緊締具２から一方又は両方の人形毛髪用繊維１を一本又は複数本に編み込んで編み目部１１を構成する。【選択図】図１
0003179216.tif 000002
【実用新案登録請求の範囲】
【請求項１】
人形用頭部又は人形用ウィッグに植毛する人形毛髪用繊維が人形に合わせた長さに切断されると共に、該人形毛髪用繊維が複数本束ねられた繊維束において、人形毛髪用繊維の一部が緊締具にて緊締され、該緊締具から一方又は両方の人形毛髪用繊維を編み込んで、編み目部を形成したことを特徴とするドールヘアー用繊維束構造。
【請求項２】
前記緊締具は前記人形毛髪用繊維の長さを二分する位置を緊締し、前記編み目部は三つ編みにて構成され、前記緊締具から一方又は両方に一本又は複数本の三つ編みを有する請求項１記載のドールヘアー用繊維束構造。
【請求項３】
前記複数状の編み目部は複数本形成された三つ編みにて構成され、各三つ編みは同じ太さ又は異なった太さに形成された請求項２記載のドールヘアー用繊維束構造。
【請求項４】
前記人形毛髪用繊維は、塩化ビニリデン系樹脂からなり、繊度の平均偏差率が４．５〜１５の範囲にある人形毛髪用繊維１とする請求項１乃至３いずれか記載のドールヘアー用繊維束構造。
【考案の詳細な説明】
【技術分野】
【０００１】
本考案は人形の頭部やウィッグに植毛する際に使用するドールヘアーをまとめたドールヘアー用繊維束構造に係り、特にユーザーが人形のヘアースタイルを手作りするのに好適なドールヘアー用繊維束構造に関するものである。
【背景技術】
【０００２】
ソフトビニル系の人形の頭部に植毛するドールヘアーは、特許文献１に記載の人形毛髪用繊維が使用されている。この人形毛髪用繊維は、塩化ビニリデン系樹脂からなり、カール加工性や、ブラッシングする際の非脱毛性に優れたドールヘアーとして広く使用されている合成繊維である。
【０００３】
一方、ドールヘアーは、既製品の人形頭部に植毛されるほか、カスタムドールと称する半完成品の人形に、ユーザーが手作りで植毛する際にも使用されている。すなわち、ユーザーが選択したカスタムドールやウィッグに自らドールヘアーを植毛した後、好みのヘアースタイルを手作りで制作するために使用するドールヘアーとして提供されている。
【０００４】
従来のカスタムドール用のドールヘアーは、人形毛髪用繊維が予め人形のサイズに適合する量と長さで束ねられ、繊維の束として提供されている（図４参照）。この繊維束は、長手中央部分で束ねられており、長さが異なった繊維束や色違いの繊維束として各種提供されている。
【先行技術文献】
【特許文献】
【０００５】
【特許文献１】特開２００８−２０４０号公報
【考案の概要】
【考案が解決しようとする課題】
【０００６】
ドールヘアーとして提供されている現在の人形毛髪用繊維は、植毛後にカールやブラッシングを施すことが可能であることから、人形の頭部やウィッグに植毛したあと、三つ編みやウェーブ、ソバージュなど任意なヘアースタイルに形成することができる。
【０００７】
ところが、これまで提供されているドールヘアーの繊維束は、ストレート状の繊維を束ねた状態で提供されていることから、植毛した直後のドールヘアーは全てストレート状にならざるを得ないものであった。そのため、植毛したドールヘアーを三つ編みやウェーブ、ソバージュなど任意のヘアースタイルにしようとする場合、ストレート状のドールヘアーに高温の湯を何度も繰り返し掛けて繊維をなじませ、三つ編みやウェーブ等のヘアースタイルを形成する必要がある。この結果、植毛したドールヘアーに任意のヘアースタイルを形成するには、極めて多くの工程や手間を要するもので、誰でも簡単に扱えるようなものではなかった。
【０００８】
そこで、本考案は上述の課題を解消すべく案出されたもので、植毛するだけで任意のヘアースタイルを容易に形成できるドールヘアー用繊維束構造の提供を目的とするものである。
【課題を解決するための手段】
【０００９】
上述の目的を達成すべく本考案の第１の手段は、人形用頭部又は人形用ウィッグに植毛する人形毛髪用繊維１が人形に合わせた長さに切断されると共に、該人形毛髪用繊維１が複数本束ねられた繊維束１０において、人形毛髪用繊維１の一部が緊締具２にて緊締され、該緊締具２から一方又は両方の人形毛髪用繊維１を編み込んで、編み目部１１を形成したことにある。
【００１０】
第２の手段において、前記緊締具２は前記人形毛髪用繊維１の長さを二分する位置を緊締し、前記編み目部１１は三つ編みにて構成され、前記緊締具２から一方又は両方に一本又は複数本の三つ編みを有する編み目部１１を構成したものである。
【００１１】
第３の手段において、前記複数状の編み目部１１は複数本形成された三つ編みにて構成され、各三つ編みは同じ太さ又は異なった太さに形成されたことにある。
【００１２】
第４の手段において、前記人形毛髪用繊維１は、塩化ビニリデン系樹脂からなり、繊度の平均偏差率が４．５〜１５の範囲にある人形毛髪用繊維１とするものである。
【考案の効果】
【００１３】
本考案の請求項１のごとく、人形毛髪用繊維１の一部が緊締具２にて緊締され、該緊締具２から一方又は両方の人形毛髪用繊維１を編み込んで、編み目部１１を形成したことにより、この編み目部１１を適宜選択して植毛するだけで、容易に任意のヘアースタイルにすることができ、従来のようにストレート状の人形毛髪用繊維１に熱湯を掛けたりする手間を省くことが可能になる。
【００１４】
請求項２のように、緊締具２は前記人形毛髪用繊維１の長さを二分する位置を緊締し、編み目部１１は三つ編み状を成し、緊締具２から一方又は両方に一本又は複数本の三つ編みを有する編み目部１１を構成したことにより、編み目部１１をそのまま使用した三つ編み状のヘアースタイルから、この編み目部１１を解いて形成するウェーブやソバージュなど任意なヘアースタイルにすることも可能になる。
【００１５】
請求項３のごとく、複数状の編み目部１１は複数本形成された三つ編み状を成し、各三つ編みは同じ太さ又は異なった太さに形成することで、ヘアースタイルのバリエーションを更に多くすることができる。
【００１６】
請求項４に記載のように、塩化ビニリデン系樹脂からなり、繊度の平均偏差率が４．５〜１５の範囲にある人形毛髪用繊維１を使用したことで、カール加工性や、ブラッシングする際の非脱毛性に優れ、人間の毛髪にかなり近い光沢、風合い、手触り感を有するヘアースタイルを、ユーザーの手作りで形成することが可能になるものである。
【図面の簡単な説明】
【００１７】
【図１】本考案の繊維束の一実施例を示す正面図である。
【図２】本考案の繊維束の他の実施例を示す正面図である。
【図３】本考案の繊維束の他の実施例を示す正面図である。
【図４】従来の繊維束を示す正面図である。
【考案を実施するための形態】
【００１８】
このように本考案によると、植毛するだけで任意のヘアースタイルを容易に形成できるといった当初の目的を実現した。
【００１９】
以下、本考案の一実施例を説明する。本考案は、人形用頭部又は人形用ウィッグに植毛する人形毛髪用繊維１を束ねた繊維束１０に、予め編み目部１１を形成した構造である。
【００２０】
本考案において繊維束１０とは、複数本の人形毛髪用繊維１が人形に合わせた長さに切断されると共に、この人形毛髪用繊維１の一部が緊締具２にて束ねられたものである。図示例では、人形毛髪用繊維１の長さを二分する位置を緊締具２にて緊締している（図１乃至図３参照）。この緊締位置は、図示例に限らず、人形毛髪用繊維１の端部など任意に変更することができる。一方、従来の繊維束１０は、ストレートの人形毛髪用繊維１が長さを二分する位置で束ねられているものである（図４参照）。
【００２１】
本考案では、複数本の人形毛髪用繊維１の一部を緊締具２にて緊締し、該緊締具２から一方又は両方の人形毛髪用繊維１を編み込んで、編み目部１１を形成したものである。緊締具２は、複数本の人形毛髪用繊維１を強く束ねる紐状、帯状、糸状等の緊締部材が使用される。この緊締具２にて緊締し、複数本の人形毛髪用繊維１の長手中央を強く束ねることで、この緊締具２を基点として人形毛髪用繊維１を編み込むことが可能になるものである。
【００２２】
本考案の編み目部１１は、三編み状に編んだもので、図１に示す繊維束１０は、緊締具２から一方の人形毛髪用繊維１で一本の三つ編みを有している。この場合、繊維束１０は、ストレート状の人形毛髪用繊維１と三編み状に編んだ編み目部１１とを選択して使用することが可能になる。
【００２３】
また、図２に示す繊維束１０は、一方の人形毛髪用繊維１で三本の三つ編みを有している。しかも、三本の三つ編みは、１本の太い三つ編みと二本の細い三つ編みが構成されている。細い三つ編みは、例えば、そのまま植毛が可能であり、太い三つ編みは、解いてウェーブやソバージュにすることもできる。
【００２４】
更に、図３に示す編み目部１１は、緊締具２から両方の人形毛髪用繊維１にて、夫々一本と二本の三つ編みを有するものが示されている。このような繊維束１０では、ストレート状の人形毛髪用繊維１が使用できない代わりに、大小太さの異なった編み目部１１を利用することが可能である。
【００２５】
本考案で使用する人形毛髪用繊維１は、塩化ビニリデン系樹脂からなり、繊度の平均偏差率が４．５〜１５の範囲にある人形毛髪用繊維１とする。この人形毛髪用繊維１は、（旭化成ホームプロダクツ株式会社）提供のサラン（登録商標）と称する人形毛髪用繊維を使用したもので、ユーザーが手作りで植毛した後でも、カール加工性や植毛加工性等の各種加工性が良好になり、ドールヘアーとして広く使用されている繊維である。
【００２６】
人形毛髪用繊維１の材質は、このほか、ポリアミド系、ポリアクリロニトリル系、ポリエステル系、ポリプロピレン系、ポリエチレン系樹脂などの合繊繊維を用いることができる。
【００２７】
本考案で使用する人形用頭部は、軟質塩化ビニル樹脂で形成されるものである（図示せず）。また、人形用ウィッグは、軟質塩化ビニル樹脂製のウィッグベースに、予め合成樹脂製のドールヘアーが縫い込まれたものである（図示せず）。これら人形用頭部や人形用ウィッグは、主にカスタムドールの頭部やウィッグとして使用されるものが対象となる。
【００２８】
尚、本考案の構成は図示例に限定されるものでなく、繊維束１０の形状や構成は、図示例に限定されるものではなく、人形毛髪用繊維１の編み込み形状も自由に変更することが可能で、本考案の要旨を変更しない範囲で任意に変更することができる。
【符号の説明】
【００２９】
１  人形毛髪用繊維
２  緊締具
１０  繊維束
１１  編み目部
【図１】
0003179216.tif 000003
【図２】
0003179216.tif 000004
【図３】
0003179216.tif 000005
【図４】
0003179216.tif 000006